(57)【要約】【課題】任意の形状を作り上げる上での自由度を担保することができ、かつこれを簡易な構成で実現できる棒状体及びその製造方法を提供する。【解決手段】  表面１０にフックとループとを混在させた面ファスナーが設けられたシート状部材１から側面全体に該面ファスナーを露出させた棒状体を製造する方法は、裏面にしたシート状部材１において、棒状体の軸方向に沿って両端部を折り返して、裏面１１に表面１０側の面ファスナーの一対の折り返し部１０Ａ、１０Ｂを形成する折り返し部形成工程と、裏面にしたシート状部材１を棒状体の軸方向に沿って折り曲げて、前記折り返し部形成工程において形成された一対の折り返し部１０Ａ、１０Ｂ同士を面ファスナーにより結合させる結合工程とを備える。【選択図】図２
2019063425.tif 000002
【特許請求の範囲】
【請求項１】
表面にフックとループとを混在させた面ファスナーが設けられたシート状部材から側面全体に該面ファスナーを露出させた棒状体を製造する方法であって、
裏面にした前記シート状部材において、棒状体の軸方向に沿って両端部を折り返して、裏面に表面側の面ファスナーの一対の折り返し部を形成する折り返し部形成工程と、
裏面にした前記シート状部材を棒状体の軸方向に沿って折り曲げて、前記折り返し部形成工程において形成された前記一対の折り返し部同士を前記面ファスナーにより結合させる結合工程と
を備えることを特徴とする棒状体の製造方法。
【請求項２】
請求項１記載の棒状体の製造方法において、
前記シート状部材は棒状体の軸方向に延在し、
前記折り返し部形成工程に先立って前記シート部材は前記一対の折り返し部を形成するように軸方向の両端部に折り返し折り目を形成すると共に、前記一対の折り返し部を結合させるように軸方向の折り曲げ折り目線を形成する折り目線形成工程を備えることを特徴とする棒状体の製造方法。
【請求項３】
表面にフックとループとを混在させた面ファスナーが設けられたシート状部材により構成される棒状体であって、
前記棒状体の軸方向に沿って前記シート状部材の裏面側に折り返された折り返し部を前記シート状部材の両端部に有し、一方の該折り返し部の表面と他方の該折り返し部の表面とが着脱自在に結合していることを特徴とする棒状体。
【請求項４】
請求項３に記載の棒状体において、
前記シート状部材の表面の前記フックの高さよりも前記ループの高さの方が高いことを特徴とする棒状体。
【請求項５】
請求項３又は４に記載の棒状体からなる玩具であって、
前記面ファスナーが着色されていることを特徴とする玩具。
【発明の詳細な説明】
【技術分野】
【０００１】
本発明は、側面全体にフックとループとを混在させた面ファスナーを露出させた棒状体、棒状体を利用した玩具、及び棒状体の製造方法に関する。
【背景技術】
【０００２】
従来から、面ファスナーを用いた玩具は公知であり、例えば対象物の表面に面ファスナーのオス面、メス面を交互に取り付けたものが知られている（例えば、特許文献１）。
【０００３】
特許文献１の玩具用組立ブロックでは、複数のブロックを用い、任意のブロックの面ファスナーのオス面と、他の任意のブロックの面ファスナーとメス面とが向かい合うように着脱自在に結合することにより、任意の形状を作り上げて繰り返し遊ぶことができる。
【０００４】
また、スポンジや綿などの軟質軽量の素材をオスメス混在の面ファスナーとの着脱性を有する布で被覆し円柱状の軸とし、その両端部分に結合手段としてオスメス混在の面ファスナーを設けたものも知られている（例えば特許文献２）。
【０００５】
特許文献２のものにおいては、軸としてオスメス混在の面ファスナーとの着脱性を有する布で被覆したものを用い、結合手段としてオスメス混在の面ファスナーを用いているため、軸の両端を軸の任意の位置で着脱自在に結合させることができる。
【先行技術文献】
【特許文献】
【０００６】
【特許文献１】公開実用新案広報平４−８３３９４号公報
【特許文献２】特開２０１３−１０３１１５号公報
【発明の概要】
【発明が解決しようとする課題】
【０００７】
しかしながら、上記特許文献１の玩具によれば、面ファスナーのオス面、メス面を交互に取り付けているので、オス面とメス面とが向かい合うようにしなければ結合させことができず、任意の形状を作り上げる上での自由度が制限される場合がある。
【０００８】
また、上記特許文献２のものでは、結合手段としてオスメス混在の面ファスナーを用いているものの、当該結合手段が軸の両端部にのみ設けられているため、両端部以外では結合させることができず、任意の形状を作り上げる上での自由度が制限されてしまう。
【０００９】
もっとも、オスメス混合の面ファスナーを軸の両端部のみならず全面に設けることも考えられるが、部材の点数が増え、構成も複雑となってしまい、玩具の重量は重く、また玩具の製造に多くの工程を要することとなる。
【００１０】
本発明の目的は、かかる従来技術の課題に鑑み、任意の形状を作り上げる上での自由度を担保することができ、かつこれを簡易な構成で実現できる棒状体及びその製造方法を提供することにある。
【課題を解決するための手段】
【００１１】
第１発明に係る棒状体の製造方法は、
表面にフックとループとを混在させた面ファスナーが設けられたシート状部材から側面全体に該面ファスナーを露出させた棒状体を製造する方法であって、
裏面にした前記シート状部材において、棒状体の軸方向に沿って両端部を折り返して、裏面に表面側の面ファスナーの一対の折り返し部を形成する折り返し部形成工程と、
裏面にした前記シート状部材を棒状体の軸方向に沿って折り曲げて、前記折り返し部形成工程において形成された前記一対の折り返し部同士を前記面ファスナーにより結合させる結合工程と
を備えることを特徴とする。
【００１２】
第１発明によれば、表面にフックとループとを混在させた面ファスナーが、棒状体の側面全体に該面ファスナーを露出しているため、該棒状体同士はその側面のどの部分とでも結合可能である棒状体を得ることができる。
【００１３】
また、単一物である表面にフックとループとを混在させた面ファスナーが設けられたシート状部材を折り曲げることによって構成することができる。そのため、部材の点数が増えたり構成が複雑となるようなこともなく、製造工程も非常に簡易なものとすることができる。加えて、シート状部材以外の重量の無い、軽量の棒状体を製造することができる。
【００１４】
このように、第１発明の棒状体の製造方法によれば、任意の形状を作り上げる上での自由度を担保することができ、かつこれを簡易な構成で実現できる。
【００１５】
第２発明に係る棒状体の製造方法は、第１発明において、
前記シート部材は棒状体の軸方向に延在し、
前記折り返し部形成工程に先立って前記シート部材は前記一対の折り返し部を形成するように軸方向の両端部に折り返し折り目線を形成すると共に、前記一対の折り返し部を結合させるように軸方向の折り曲げ折り目線を形成する折り目線形成工程を備えることを特徴とする。
【００１６】
第２発明によれば、折り目線形成工程により、予め折り返し折り目線を形成しておくことで、シート部材の軸方向の両端部には一対の折り返し部を精度よく形成することができる。同様に、予め折り曲げ折り目線を形成しておくことで、一対の折り返し部同士を確実に結合させることができる。
【００１７】
このように、第２発明の棒状体の製造方法によれば、任意の形状を作り上げる上での自由度を担保することができ、かつこれをより簡易な構成で確実に実現できる。
【００１８】
第３発明に係る棒状体は、
表面にフックとループとを混在させた面ファスナーが設けられたシート状部材により構成される棒状体であって、
前記棒状体の軸方向に沿って前記シート状部材の裏面側に折り返された折り返し部を前記シート状部材の両端部に有し、一方の該折り返し部の表面と他方の該折り返し部の表面とが着脱自在に結合していることを特徴とする。
【００１９】
第３発明の棒状体によれば、表面にフックとループとを混在させた面ファスナーが、棒状体の側面全体に該面ファスナーを露出しているため、該棒状体同士はその側面のどの部分とでも結合可能である棒状体を得ることができる。
【００２０】
また、単一物である表面にフックとループとを混在させた面ファスナーが設けられたシート状部材の両端部を折り返した一方の折り返し部の表面と他方の折り返し部の表面とが着脱自在に結合している。そのため、部材の点数が増えたり構成が複雑となるようなこともなく、簡易なものとすることができる。加えて、シート状部材以外の重量の無い、軽量の棒状体とすることができる。
【００２１】
このように、第３発明の棒状体によれば、任意の形状を作り上げる上での自由度を担保することができ、かつこれを簡易な構成で実現できる。
【００２２】
第４発明に係る棒状体は、第３発明において、前記シート状部材表面の前記フックの高さよりも前記ループの高さの方が高いことを特徴とする。
【００２３】
第４発明によれば、フックの高さよりもループの高さの方が高いため、棒状体の表面が滑らかな手触りとすることができる。
【００２４】
このように、第４発明の棒状体によれば、滑らかな手触りで任意の形状を作り上げる上での自由度を担保することができ、かつこれを簡易な構成で実現できる。
【００２５】
第５発明に係る玩具は、第３又は第４発明又に係る棒状体からなる玩具であって、前記面ファスナーが着色されていることを特徴とする。
【００２６】
第５発明の玩具によれば、面ファスナー全体を着色しておくことで、全体が着色された棒状体を容易に構成することができる。さらに、全体が着色された棒状体により、玩具として子供の創造力を掻き立てるような使用が可能となる。
【００２７】
このように、第５発明の玩具によれば、着色した場合でも、任意の形状を作り上げる上での自由度を担保することができ、かつこれを簡易な構成で実現できる。
【図面の簡単な説明】
【００２８】
【図１】図１Ａは、本実施形態の棒状体の完成状態を示す斜視図。図１Ｂは、図１ＡにおけるＩＢ−ＩＢ断面図。
【図２】本実施形態の棒状体の製造工程を示す説明図。
【図３】図１の棒状体を玩具として使用した場合の使用状態の一例を示す説明図。
【図４】本実施形態の棒状体の変更例を示す説明的断面図。
【発明を実施するための形態】
【００２９】
まず、図１を参照して、本実施形態の棒状体の構成について説明する。
【００３０】
本実施形態の棒状体は、シート状部材１により構成される棒状体であって、一対の折り返し部１０Ａと１０Ｂとを備える。
【００３１】
シート状部材１は、表面１０にフックとループとを混在させた面ファスナーを備え、裏面１１にはフックとループとを混在させた面ファスナーがない。
【００３２】
裏面１１には、棒状体の軸方向に沿ってシート状部材１の表面１０が裏面１１側に折り返され、一対の折り返し部１０Ａ、１０Ｂがシート状部材１の両端部に形成されている。
【００３３】
一対の折り返し部１０Ａ、１０Ｂは、その一方を一端部折り返し部１０Ａ、他方を他端部折り返し部１０Ｂとする。
【００３４】
一対の折り返し部１０Ａ、１０Ｂは、向かい合うように結合している。
【００３５】
折り返し折り線２Ａ及び２Ｂ並びに折り曲げ折り目線３は、図２を参照して詳細は後述する。
【００３６】
次に、図２を参照して、本発明による一実施形態に係る棒状体の製造工程について説明する。
【００３７】
図２Ａは、製造工程の最初の段階を示している。シート状部材１がシート状部材の裏面１１を上向きにして配置されている。
【００３８】
図２Ｂは、折り返し部形成工程を示している。シート状部材１の両端部をそれぞれ裏面１１側に折り返し、一端部折り返し部１０Ａ及び他端部折り返し部１０Ｂを形成する。
【００３９】
なお、折り返し部形成工程をやりやすいように、該折り返し部形成工程に先立って、シート部材に、軸方向の両端部に折り返し折り目線（図においては、一端部折り返し折り目線２Ａ、他端部折り返し折り目線２Ｂ）を形成する。
【００４０】
一端部折り返し折り目線２Ａ、他端部折り返し折り目線２Ｂを形成しておくことで、一端部折り返し部１０Ａ、他端部折り返し部１０Ｂの大きさを同一にすることが非常に容易になる。
【００４１】
図２Ｃは、結合工程を示している。折り返し部形成工程を実施済みのシート状部材１をさらに棒状体の軸方向に沿って折り曲げて、該折り返し部形成工程により形成された一端部折り返し部１０Ａと他端部折り返し部１０Ｂとを結合させることによって、棒状体が製造される。
【００４２】
なお、結合工程をやりやすいように、折り返し部形成工程に先立って、シート部材に、一対の折り返し部を結合させるように、軸方向の折り曲げ折り目線３を形成する。
【００４３】
折り曲げ折り目線３を形成しておくことで、大きさが同一となるように形成された一端部折り返し部１０Ａ、他端部折り返し部１０Ｂの全面同士を確実に結合させることができる。
【００４４】
また、一端部折り返し折り目線２Ａ、他端部折り返し折り目線２Ｂ、折り曲げ折り目線３の形成は、例えば、エッジ状の刃物を押し当てることにより実現してもよく、あるいはシート状部材１の製造過程において予め当該部分のみを薄肉に製造することにより実現してもよい。
【００４５】
次に、図３を参照して、図１の棒状体を玩具として使用した場合の使用方法について説明する。
【００４６】
図３のように複数の棒状体（本実施形態では１１本）を用い、一方の棒状体の側面の一部分を他方の棒状体の側面の一部分に結合させ、該他方の棒状体の側面の他の部分をさらに他方の棒状体の側面の他の部分に結合させる工程を繰り返すことで、複雑な立体形状を作り上げることができる。
【００４７】
このように、本実施形態の棒状体によれば、一方の棒状体の側面のどの部分においても、他方の棒状体の側面のどの部分とも結合することができるので、複数の棒状体を組み合わせることで、任意の形状を高い自由度で作り上げることができる。
【００４８】
また、棒状体の側面は面ファスナーであり、結合部分は着脱自在であるため、任意の形状を作り上げた後に結合部分を取り外すことで、繰り返して任意の形状を作り上げて遊ぶことができる。
【００４９】
以上、本発明の実施形態について説明したが、本発明はこれに限定されない。例えば、折り曲げ折り目線３の数は、１つに限定されない。
【００５０】
以下、図４を参照して、本実施形態の棒状体の変更例について説明する。なお、同一の構成については、同一の符号を付して、説明を省略することがある。
【００５１】
図４Ａは、２つの折り曲げ折り目線として、第１追加折り曲げ折り目線３Ａ及び第２追加折り曲げ折り目線３Ｂを有している。
【００５２】
結合工程において、第１追加折り曲げ折り目線３Ａ及び第２追加折り曲げ折り目線３Ｂに沿って棒状体の軸方向に沿って折り曲げて、一端部折り返し部１０Ａと他端部折り返し部１０Ｂとを結合させることによって、断面が三角形の棒状体が形成される。
【００５３】
図４Ｂは、折り曲げ折り目線３に加え、その両脇に、追加の折り曲げ折り目線として、第１追加折り曲げ折り目線３Ａ’及び第２追加折り曲げ折り目線３Ｂ’を有している。
【００５４】
結合工程において、折り曲げ折り目線３、第１追加折り曲げ折り目線３Ａ及び第２追加折り曲げ折り目線３Ｂに沿って棒状体の軸方向に沿って折り曲げて、一端部折り返し部１０Ａと他端部折り返し部１０Ｂとを結合させることによって、断面が四角形の棒状体が形成される。
【００５５】
図４Ｃは、４つの折り曲げ折り目線として、第１追加折り曲げ折り目線３Ａ’、第２追加折り曲げ折り目線３Ｂ’、第３追加折り曲げ折り目線３Ｃ及び第４追加折り曲げ折り目線３Ｄを有している。
【００５６】
結合工程において、第１追加折り曲げ折り目線３Ａ’、第２追加折り曲げ折り目線３Ｂ’、 第３追加折り曲げ折り目線３Ｃ及び第４追加折り曲げ折り目線３Ｄに沿って棒状体の軸方向に沿って折り曲げて、一端部折り返し部１０Ａと他端部折り返し部１０Ｂとを結合させることによって、断面が四角形の棒状体が形成される。
【００５７】
図４Ｄは、４つの折り曲げ折り目線として、第１追加折り曲げ折り目線３Ａ’、第２追加折り曲げ折り目線３Ｂ’、第３追加折り曲げ折り目線３Ｃ’及び第４追加折り曲げ折り目線３Ｄ’を有している。
【００５８】
結合工程において、第１追加折り曲げ折り目線３Ａ’、第２追加折り曲げ折り目線３Ｂ’、 第３追加折り曲げ折り目線３Ｃ’及び第４追加折り曲げ折り目線３Ｄ’に沿って棒状体の軸方向に沿って折り曲げて、一端部折り返し部１０Ａと他端部折り返し部１０Ｂとを結合させることによって、断面が五角形の棒状体が形成される。
【００５９】
以上のように、追加折り曲げ折り目線（３Ａ〜３Ｄ）を一つ以上設けることにより、断面が多角形の棒状体を確実に製造できるようにしてもよい。
【００６０】
多角形の棒状体とすることにより、結合力の強い面の部分と、比較的結合力の弱い角の部分とが形成される。そのため、任意の形状を作り上げる上での自由度を維持しつつ、適度な難易度を実現し、玩具として子供の想像力をより掻き立てるような使用ができる。
【００６１】
棒状体の構成について一通り説明したが、これを玩具として用いる場合は、それぞれ赤、青、黄などに着色された複数の棒状体で構成される。
【００６２】
また、図４Ａ〜Ｄで説明した各多角形の棒状体としたものの全部又は一部を含む構成としてもよい。
【００６３】
さらに、棒状体の長さや太さは、変更してさまざまな長さや太さの棒状体で構成することとしてもよい。
【００６４】
そのような構成とすることで、任意の形状を作り上げる上での自由度をさらに高め、玩具として子供の想像力を強く掻き立てるような使用ができる。
【００６５】
また、棒状体は、着色して子ども向けの玩具として用いるだけでなく、高齢者向けの介護施設や障がい者向けの福祉施設においてレクリエーション用の道具として用いてもよい。
【００６６】
さらに、美術作品用の部材として、オブジェの製作や、オスメス混在の面ファスナーとの着脱性を有する布で被覆などされた壁面上での貼り絵の製作などに用いてもよい。
【符号の説明】
【００６７】
１…シート状部材、２Ａ…一端部折り返し折り目線、２Ｂ…他端部折り返し折り目線、３…折り曲げ折り目線、３Ａ…第１追加折り曲げ折り目線、３Ｂ…第２追加折り曲げ折り目線、３Ｃ…第３追加折り曲げ折り目線、３Ｄ…第４追加折り曲げ折り目線、１０…表面、１０Ａ…一端部折り返し部、１０Ｂ…他端部折り返し部、１１…裏面。
【図１】
2019063425.tif 000003
【図２】
2019063425.tif 000004
【図３】
2019063425.tif 000005
【図４】
2019063425.tif 000006